(57)【要約】【課題】全周ねじ式受金を強固且つ簡単に固着することができるランプソケットを提供する。【解決手段】ランプ口金がねじ込まれる受金１と、この受金１を内部に配置するランプ装着部４を有するソケット本体２とを備え、ランプ装着部４の内底部に掛止部５を設け、掛止部５に通しかつ回転により掛合する穴部３を受金１に設けている。穴部３は受金１の底部に一直径方向に長い長孔状に形成している。一対の掛止部５は、ランプ装着部４の内底部の中心を間にして軸方向に突出し、各先端にランプ装着部４の内周面に向けて突出したつば５ａを形成している。【選択図】  図１
2004355825.tif 000002
【特許請求の範囲】
【請求項１】
ランプ口金がねじ込まれる受金と、この受金を内部に配置するランプ装着部を有するソケット本体とを備え、前記ランプ装着部の内底部に掛止部を設け、前記掛止部に通しかつ回転により掛合する穴部を前記受金に設けたことを特徴とするランプソケット。
【請求項２】
ランプ口金がねじ込まれる受金と、この受金を内部に配置するランプ装着部を有するソケット本体とを備え、前記ランプ装着部の内周面に弾性の掛止部を突設し、前記掛止部に嵌合する穴部を前記受金の周面に形成したことを特徴とするランプソケット。
【請求項３】
ランプ口金がねじ込まれる受金と、この受金を内部に配置するランプ装着部を有するソケット本体とを備え、前記ランプ装着部の内周面に下向きの段部を形成し、前記段部に弾性係合する爪部を前記受金の周面に設けたことを特徴とするランプソケット。
【請求項４】
ランプ口金がねじ込まれる受金と、この受金を内部に配置するランプ装着部を有するソケット本体とを備え、前記受金は断面略Ｃ字形の弾性のある円筒形であり、周方向の両端部に突出部を有し、前記ランプ装着部は前記受金を弾性縮径した状態で挿入可能で復元により抜止め係止する受金掛合部と、前記受金が前記受金掛合部に掛合した状態で前記突出部に係止する回り止め部を有するランプソケット。
【請求項５】
ランプ口金がねじ込まれる受金と、この受金を内部に配置するランプ装着部を有するソケット本体とを備え、前記ランプ装着部は、前記受金を挟着可能に少なくとも２つの分割体を結合してなるものであり、前記分割体の少なくとも一つに前記受金の軸方向を規制する掛合部を有するランプソケット。
【請求項６】
前記掛合部は前記受金の軸方向長さよりも短い間隔で軸方向に複数設けられている請求項５記載のランプソケット。
【請求項７】
前記分割体は前記ランプ装着部の略中央より軸に平行に分割したものである請求項５記載のランプソケット。
【請求項８】
前記分割体の１つは前記ランプ装着部のランプ装入開口部を一体に有する請求項５記載のランプソケット。
【請求項９】
前記分割体の１つは前記ランプ装着部の開口側の筒状部および底部側の筒状部を一体に有する請求項５記載のランプソケット。
【請求項１０】
ランプ口金がねじ込まれる受金と、この受金を内部に配置するランプ装着部を有するソケット本体とを備え、前記ランプ装着部の内周面にねじ山を有し、前記受金に前記ねじ山に螺嵌するねじ溝を有するランプソケット。
【発明の詳細な説明】
【０００１】
【発明の属する技術分野】
本発明は、グローランプ等のねじ込みランプを電気接続し得るランプソケットに関するものである。
【０００２】
【従来の技術】
従来のエジソンベース式のランプソケットの受金の形態は、特公平７−７６８６号の図９の様なランプ口金をねじ込む合成樹脂製の円筒内壁部にねじ山を螺刻し、その円筒内に立設した短冊状でねじ山を形設していない部分受金が主流であった。
部分受金にはばね性を有するリン青銅等の銅合金が、またランプ口金には黄銅等の銅合金が一般的に用いられている。
【０００３】
しかしながらグロースタータ用のランプ口金の中には、銅合金より密度が小さい軽金属のアルミニウム製のものがあり、このアルミニウムは銅合金やそれ以外の異種金属との間では電位差が出来てしまい、所謂電飾作用（金属が、それを取り囲む環境に依って化学的あるいは電気化学的に侵食される事）によって電気接続の信頼性が低下してしまう。
【０００４】
これを回避する為の受金の形態を、特公平７−７６８６号の図１の様な絞り形状の全周ねじ式とすると、ランプ口金を接続した場合に部分受金に比べて高い接触圧が得られるので電気接続信頼性は低下することはない。
【０００５】
【特許文献１】
特開平７−２２０８３７号
【０００６】
【発明が解決しようとする課題】
全周ねじ式の受け金をランプソケットに固着する手段は、特開平７−２２０８３７号の図２３の様なハトメ取付けや、図２４のようなねじ・ナット取付けが主流であるが、ハトメやねじ等の締結部材と取付工程が必要であり、コストアップの要因となる。
【０００７】
また締結以外の固着手段として、特開平７−２２０８３７号の図１や、実開平６−８８０８９の図１の様なソケット本体とソケットカバーとで全周ねじ式受金を挟着する方法があるが、構造が複雑になり、実公昭５６−４９１１８号の図１の様に受金から延出するかしめ片をソケット本体に直接かしめているものは、かしめ工程が付きまとう。
【０００８】
したがって、本発明の目的は、全周ねじ式受金を強固且つ簡単に固着することができるランプソケットを提供することである。
【０００９】
【課題を解決するための手段】
請求項１記載のランプソケットは、ランプ口金がねじ込まれる受金と、この受金を内部に配置するランプ装着部を有するソケット本体とを備え、前記ランプ装着部の内底部に掛止部を設け、前記掛止部に通しかつ回転により掛合する穴部を前記受金に設けたことを特徴とするものである。
【００１０】
請求項１記載のランプソケットによれば、受金をランプ装着部に挿入し回転して取付けるので、全周ねじ式受金を強固且つ簡単に固着することができる。また掛止部および穴部はランプ装着部の略円筒部の投影面積内に収まるので、円筒の直径方向に対してコンパクトに仕上がる。
【００１１】
請求項２記載のランプソケットは、ランプ口金がねじ込まれる受金と、この受金を内部に配置するランプ装着部を有するソケット本体とを備え、前記ランプ装着部の内周面に弾性の掛止部を突設し、前記掛止部に嵌合する穴部を前記受金の周面に形成したことを特徴とするものである。
【００１２】
請求項２記載のランプソケットによれば、全周ねじ式受金を強固且つ簡単に固着することができる。また掛止部および穴部をランプ装着部および受金の周面側に形成したため、ランプソケットの高さを低く抑えることができる。また受金を軸方向に圧入するだけで受金の固着が容易に行える。
【００１３】
請求項３記載のランプソケットは、ランプ口金がねじ込まれる受金と、この受金を内部に配置するランプ装着部を有するソケット本体とを備え、前記ランプ装着部の内周面に下向きの段部を形成し、前記段部に弾性係合する爪部を前記受金の周面に設けたことを特徴とするものである。
【００１４】
請求項３記載のランプソケットによれば、請求項２と同様な効果がある。
【００１５】
請求項４記載のランプソケットは、ランプ口金がねじ込まれる受金と、この受金を内部に配置するランプ装着部を有するソケット本体とを備え、前記受金は断面略Ｃ字形の弾性のある円筒形であり、周方向の両端部に突出部を有し、前記ランプ装着部は前記受金を弾性縮径した状態で挿入可能で復元により抜止め係止する受金掛合部と、前記受金が前記受金掛合部に掛合した状態で前記突出部に係止する回り止め部を有するものである。
【００１６】
請求項４記載のランプソケットによれば、全周ねじ式受金を強固且つ簡単に固着することができる。また受金は受金の径が狭まる方向に伸縮自在に可動するため、指先でつまむことで直径方向に容易に弾性変形し、略円筒部内の掛合部への組込み作業が容易にできる。
【００１７】
請求項５記載のランプソケットは、ランプ口金がねじ込まれる受金と、この受金を内部に配置するランプ装着部を有するソケット本体とを備え、前記ランプ装着部は、前記受金を挟着可能に少なくとも２つの分割体を結合してなるものであり、前記分割体の少なくとも一つに前記受金の軸方向を規制する掛合部を有するものである。
【００１８】
請求項５記載のランプソケットによれば、全周ねじ式受金を強固且つ簡単に固着することができる。
【００１９】
請求項６記載のランプソケットは、請求項５において、前記掛合部が前記受金の軸方向長さよりも短い間隔で軸方向に複数設けられているものである。
【００２０】
請求項６記載のランプソケットによれば、請求項５と同様な効果のほか、ランプソケットの高さを低く抑えることが出来る。
【００２１】
請求項７記載のランプソケットは、請求項５において、前記分割体が前記ランプ装着部の略中央より軸に平行に分割したものである。
【００２２】
請求項７記載のランプソケットによれば、請求項５と同様な効果のほか、略円筒部の略中央より軸に平行に分割したので、そうでない場合に比べると受金の据わりが良く組立て性が向上する。
【００２３】
請求項８記載のランプソケットは、請求項５において、前記分割体の１つが前記ランプ装着部のランプ装入開口部を一体に有するものである。
【００２４】
請求項８記載のランプソケットによれば、請求項５と同様な効果のほか、略円筒部の分割構成を、軸に直交方向に分割し略円筒部の開口部側を１ピースで閉じた構成としたので、ランプをねじ込んだ時に加わる軸力を受ける力はこの１ピース内で完結することから２ピース構成よりも有利である。
【００２５】
請求項９記載のランプソケットは、請求項５において、前記分割体の１つが前記ランプ装着部の開口側の筒状部および底部側の筒状部を一体に有するものである。
【００２６】
請求項９記載のランプソケットによれば、請求項５と同様な効果のほか、受金の位置に対してランプ装着部の開口部側と底部側とを一体形成している構造としたので、ランプを途中までねじ込んだ状態からそのまま押込まれても、その押込み力はこの１ピース内で完結することから２ピース構成よりも有利である。
【００２７】
請求項１０記載のランプソケットは、ランプ口金がねじ込まれる受金と、この受金を内部に配置するランプ装着部を有するソケット本体とを備え、前記ランプ装着部の内周面にねじ山を有し、前記受金に前記ねじ山に螺嵌するねじ溝を有するものである。
【００２８】
請求項１０記載のランプソケットによれば、全周ねじ式受金を強固且つ簡単に固着することができる。また略円筒部内に受金を螺嵌したことにより、受金部の強度は格段に増加する。
【００２９】
【発明の実施の形態】
この発明の第１の実施の形態を図１から図５に基づいて説明する。すなわち、このランプソケットは、受金１と、ソケット本体２と、一対の導電端子（図示せず）とを有する。
【００３０】
受金１はランプ口金（図示せず）がねじ込まれるもので、ランプ口金の雄ねじに螺合する雌ねじ６を内周面に形成した筒状体であり、受金１の底部に一直径方向に長い長孔状の穴部３を形成している。この穴部３はランプ口金のアイレットに接触する中央接片（図示せず）を挿通するとともに、後述の掛止部５に掛合する。
【００３１】
ソケット本体２は受金１を内部に配置する例えば略円筒状のランプ装着部４を有する。ランプ装着部４の内底部の中心を間にして一対の掛止部５を軸方向に突出し、各先端にランプ装着部４の内周面に向けて突出したつば５ａを形成している。また一対の掛止部５を結ぶ方向と直交する方向で底部の中心から離れた位置に中央接片の付根側が通る穴７を形成している。図５は受金１の取付け順序を示し、（ａ）は受金１をランプ装着部４に挿入した状態である。このとき穴部３が一対の掛止部５に通り外底面がランプ装着部４の内底面に当接する。（ｂ）はつぎに受金１を約９０度右回転した状態である。このとき、穴部３の側縁部が掛止部５のつば５ａの下側に掛合し受金１は取付状態となる。同時に穴７が穴部３内に位置し、中央接片を穴部３内に配置可能となる。
【００３２】
実施の形態のソケット本体２はランプ装着部４の底部側に雑音防止用コンデンサ９および導電端子の収納部１０を形成する箱体８を有する。箱体８のランプ装着部４と反対側はカバー開口１１を有し、蓋体１２で閉じられている。蓋体１２は両側に係止爪１３を突出し、箱体８は蓋体１２を閉じた状態で係止爪１３を引っ掛ける係止孔１４を開口縁に形成している。箱体８のコンデンサ挿入口８ａと反対側の両側より電線挿通用筒部１５を突出している。
【００３３】
一対の導電端子（図示せず）は、ソケット本体２に設けられてランプ口金に当接し電線（図示せず）を接続する。実施の形態では、電線挿通用筒部１５より挿通された電線に接続する速結端子を用いた端子部、雑音防止用コンデンサ９のリード線を接続する例えば速結端子を用いた端子部、穴７よりランプ装着部４に突出する中央接片、および受金１に接続される受金接続部を一体に有する。一対の導電端子は箱体８の雑音防止コンデンサ９の収納部の下側に収納され、蓋体１２を開いた状態でソケット本体２に組み込まれる。
【００３４】
実施の形態によれば、受金１をランプ装着部４に簡単かつ強固に固定することができる。
【００３５】
この発明の第２の実施の形態を図６および図７に示す。すなわち、第１の実施の形態において、掛止部５および穴部３に代えて、弾性の掛止部２０をランプ装着部４の内周面に突設し、掛止部２０に嵌合する穴部２１を受金１の周面に形成している。ソケット本体１は例えばポリプロピレンなどの樹脂製とし、掛止部２０はランプ装着部４と一体に形成する樹脂爪とすることにより樹脂弾性を付与している。また受金１をランプ装着部４内に挿入しやすくしかつ弾性変形しやすくするため表面に傾斜面２０ａを形成している。受金１をランプ装着部４の開口より挿入し押し込むと、掛止部２０が樹脂弾性により弾性変形し後退して受金１がランプ装着部４内に入り、穴部２１に掛止部２０が復元して嵌合し、受金１が取付け状態となる。なお穴部３は中央接片２２を挿通するような形状に形成されている。その他は第１の実施の形態と同様である。
【００３６】
この発明の第３の実施の形態を図８から図１０に示す。すなわち、第１の実施の形態において、掛止部５および穴部３に代えて、ランプ装着部４の内周面に下向きの段部２４を形成し、段部２４に弾性係合する爪部２５を受金１の周面に設けている。実施の形態の段部４は円筒状のランプ装着部４の底部側に径大部４ａを形成することにより形成している。爪部２５は受金１の周面に切起こしにより一体形成している。受金１をランプ装着部４に押し込むとき爪部２５が弾性変形して後退するので受金１を容易にランプ装着部４内に挿入でき、段部２４に対向すると復帰して段部２４に係止し、抜止め状態となる。その他は第１の実施の形態と同様であり、穴部３は中央接片を挿通するような形状に形成されている。
【００３７】
この発明の第４の実施の形態を図１１および図１２に示す。すなわち、第１の実施の形態において、掛止部５および穴部３に代えて、受金１を断面略Ｃ字形の弾性のある円筒形に形成し、周方向の両端部に突出部３０を有し、ランプ装着部４は受金１を弾性縮径した状態で挿入可能で復元により抜止め係止する受金掛合部３１と、受金１が受金掛合部３１に掛け合わせした状態で突出部３０に係止する回り止め部３２を有する。実施の形態では突出部３０を周方向両端の軸方向の一端に設けられ径方向の外方に突出している。図１２（ａ）、（ｂ）は受金１の縮径前の状態、図１２（ｃ）、（ｄ）は受金１を矢印のようにつまんで弾性変形し縮径した状態である。受金１は底部を有しないので深絞りが不要である。
【００３８】
受金掛合部３１は軸方向に突出部３０を摘んだ状態でランプ装着部４の開口縁より一対の突出部３０を挿入できる幅の溝３３と、受金１の収納位置で突出部３０が受金１の弾性により開くことができるように形成した横溝３４からなり、これにより受金１が抜止めできる。また回り止め部３２は横溝３４の長手方向の端部により兼用しており、横溝３４の長さを制限することにより回り止めを可能としている。
【００３９】
図１３はこの実施の形態の変形形態である。突出部３０は軸方向に突出している。受金掛合部３１はランプ装着部４の内周面に形成された内つばにより形成し、受金１を縮径した状態で内つばの下側に受金１を装入でき、復元により広がった状態で抜止め係止する。回り止め部３２は内つばの一部を取り除くことにより形成し、受金１の復元により突出部３０を回り止め部３２に係止させて回り止めしている。
【００４０】
この発明の第５の実施の形態を図１４および図１５に示す。すなわち、ランプ口金（図示せず）がねじ込まれる受金１と、この受金１を内部に配置するランプ装着部４を有するソケット本体２とを備えている。ランプ装着部４は、受金１を挟着可能に少なくとも２つの分割体３６、３７を結合してなるものであり、分割体３６、３７の少なくとも一つに受金１の軸方向を規制する掛合部３８を有する。実施の形態の分割体３６、３７はランプ装着部４の略中央より軸に平行に分割している。また掛合部３８を各分割体３６、３７に形成し、受金１の上下端部に係止している。受金１の引っ張り力と押し込み力を受けるソケット本体２の分割体３６、３７の結合は、係止爪と孔その他の結合手段（図示せず）により行われる。なお導電端子等は図示省略している。
【００４１】
この発明の第６の実施の形態を図１６および図１７に示す。すなわち、第５の実施の形態において、分割体３６、３７の１つ例えばソケット本体２側の分割体３６がランプ装着部４のランプ装入開口部４０を有するものである。この場合、受金１の引っ張り力はソケット本体２の分割体３６のみで受けることになる。
【００４２】
この発明の第７の実施の形態を図１８および図１９に示す。すなわち、第５の実施の形態において、上下の掛合部３８の間隔を狭め、下側の掛合部３８ａは受金１に形成した孔３９または切欠きに嵌合する構成である。これにより、ランプソケットの高さを低く抑えることができる。
【００４３】
この発明の第８の実施の形態を図２０から図２６に示す。すなわち、第５の実施の形態において、分割体３６、３７の１つは例えばソケット本体２側の分割体３６はランプ装着部４の開口側の筒状部４ａおよび底部側の筒状部４ｂを一体に有する。これは第１の実施の形態において、ランプ装着部４の周面の軸方向の中間部に切欠き４１を形成したものに相当し、この切欠き４１に受金１が装入される。この実施の形態では筒状部４ａ、４ｂ間の切欠き４１に臨む位置にそれぞれ周溝４５を形成し、受金１は周溝４５に係合するつば４６を両端部に形成している。４７は端子接続部、４８はつば４６の周縁の一部を直線状に形成した一対の平部である。切欠き４１の周方向の端部にはカバー取付部４２を形成し、受金１を塞ぐカバー４３の両端に係合部４４を延出し、両側にはつば４６が係合する凹部４３ａを形成している。カバー取付部４２は穴を有し、係合部４４は爪により形成している。図２２はソケット本体２の切欠き４１に受金１を挿入する途中の状態である。図２３は受金１を挿入しつば４６を周溝４５に係止した状態である。図２６はカバー４３を切欠きに被せ、凹部４３ａをつば４６に係らせ、カバー取付部４２に係合部４４を係合した状態である。なお、受金１の回り止めのため、端子接続部４７または平部４８をランプ装着部４や、カバー４３に係止させるように係止部を設けることができる。この実施の形態も受金１の引っ張り力と押し込み力はソケット本体２のみが受ける。その他、第１の実施の形態と共通する部分に同じ符号を付している。
【００４４】
この発明の第９の実施の形態を図２７および図２８に示す。すなわち、ランプ口金がねじ込まれる受金１と、この受金１を内部に配置するランプ装着部４を有するソケット本体２とを備えている。ランプ装着部４の内周面にねじ山５０（雌ねじ）を形成し、受金１にねじ山５０に螺嵌するねじ溝５１（雄ねじ）を形成している。実施の形態ではねじ山５０を２状螺刻している。受金１にねじ溝５１を形成することにより受金１の内周面にランプ口金が螺合する雌ねじ６を形成している。ランプ装着部４に形成した樹脂ねじのねじ山５０に受金１のねじ溝５１を螺着して受金１がランプ装着部４に固定される。その他、第１の実施の形態と共通する部分に同一符号を付している。
【００４５】
【発明の効果】
請求項１記載のランプソケットによれば、受金をランプ装着部に挿入し回転して取付けるので、全周ねじ式受金を強固且つ簡単に固着することができる。また掛止部および穴部はランプ装着部の略円筒部の投影面積内に収まるので、円筒の直径方向に対してコンパクトに仕上がる。
【００４６】
請求項２記載のランプソケットによれば、全周ねじ式受金を強固且つ簡単に固着することができる。また掛止部および穴部をランプ装着部および受金の周面側に形成したため、ランプソケットの高さを低く抑えることができる。また受金を軸方向に圧入するだけで受金の固着が容易に行える。
【００４７】
請求項３記載のランプソケットによれば、請求項２と同様な効果がある。
【００４８】
請求項４記載のランプソケットによれば、全周ねじ式受金を強固且つ簡単に固着することができる。また受金は受金の径が狭まる方向に伸縮自在に可動するため、指先でつまむことで直径方向に容易に弾性変形し、略円筒部内の掛合部への組込み作業が容易にできる。
【００４９】
請求項５記載のランプソケットによれば、全周ねじ式受金を強固且つ簡単に固着することができる。
【００５０】
請求項６記載のランプソケットによれば、請求項５と同様な効果のほか、ランプソケットの高さを低く抑えることが出来る。
【００５１】
請求項７記載のランプソケットによれば、請求項５と同様な効果のほか、略円筒部の略中央より軸に平行に分割したので、そうでない場合に比べると受金の据わりが良く組立て性が向上する。
【００５２】
請求項８記載のランプソケットによれば、請求項５と同様な効果のほか、略円筒部の分割構成を、軸に直交方向に分割し略円筒部の開口部側を１ピースで閉じた構成としたので、ランプをねじ込んだ時に加わる軸力を受ける力はこの１ピース内で完結することから２ピース構成よりも有利である。
【００５３】
請求項９記載のランプソケットによれば、請求項５と同様な効果のほか、受金の位置に対してランプ装着部の開口部側と底部側とを一体形成している構造としたので、ランプを途中までねじ込んだ状態からそのまま押込まれても、その押込み力はこの１ピース内で完結することから２ピース構成よりも有利である。
【００５４】
請求項１０記載のランプソケットによれば、全周ねじ式受金を強固且つ簡単に固着することができる。また略円筒部内に受金を螺嵌したことにより、受金部の強度は格段に増加する。
【図面の簡単な説明】
【図１】この発明の第１の実施の形態のグロースタータソケットの正面図である。
【図２】受金を入れる前のソケット本体の正面図である。
【図３】ソケット本体の平面図である。
【図４】（ａ）は受金の平面図、（ｂ）はその正面図である。
【図５】（ａ）は受金を挿入した係止前の状態の平面図、（ｂ）は受金を回転して係止した状態の平面図である。
【図６】第２の実施の形態の断面図である。
【図７】（ａ）は受金の正面図、（ｂ）は平面図、（ｃ）はその背面図である。
【図８】第３の実施の形態の断面図である。
【図９】受金の装着前の平面図である。
【図１０】（ａ）は受金の平面図、（ｂ）はその正面図である。
【図１１】第４の実施の形態の平面図である。
【図１２】（ａ）は受金の平面図、（ｂ）はその正面図、（ｃ）は縮径した状態の平面図、（ｄ）はその正面図である。
【図１３】変形形態の分解斜視図である。
【図１４】第５の実施の形態の分解正面図である。
【図１５】組み合わせ状態の正面図である。
【図１６】第６の実施の形態の分解正面図である。
【図１７】組み合わせ状態の正面図である。
【図１８】第７の実施の形態の分解正面図である。
【図１９】組み合わせ状態の正面図である。
【図２０】第８の実施の形態の平面図である。
【図２１】その正面図である。
【図２２】受金の挿入過程の正面図である。
【図２３】受金の挿入完了状態の正面図である。
【図２４】（ａ）は受金の平面図、（ｂ）は正面図である。
【図２５】（ａ）はカバーの正面図、（ｂ）は側面図である。
【図２６】カバーを取付けた状態の正面図である。
【図２７】第９の実施の形態の受金を入れる前の正面図である。
【図２８】受金を入れた状態の正面図である。
【符号の説明】
１    受金
２    ソケット本体
３    穴部
４    ランプ装着部
４ａ、４ｂ  筒状部
５    掛止部
５ａ  つば
６    雌ねじ
７    穴
８    箱体
９    雑音防止用コンデンサ
１０    収納部
１１    カバー開口
１２    蓋体
２０    掛止部
２１    穴部
２４    段部
２５    爪部
３０    突出部
３１    受金掛合部
３２    回り止め部
３６、３７  分割体
３８    掛合部
３９    孔
４０    ランプ挿入開口部
４１    切欠き
４５    周溝
４６    つば
５０    ねじ山
５１    ねじ溝
【図１】
2004355825.tif 000003
【図２】
2004355825.tif 000004
【図３】
2004355825.tif 000005
【図４】
2004355825.tif 000006
【図５】
2004355825.tif 000007
【図６】
2004355825.tif 000008
【図７】
2004355825.tif 000009
【図８】
2004355825.tif 000010
【図９】
2004355825.tif 000011
【図１０】
2004355825.tif 000012
【図１１】
2004355825.tif 000013
【図１２】
2004355825.tif 000014
【図１３】
2004355825.tif 000015
【図１４】
2004355825.tif 000016
【図１５】
2004355825.tif 000017
【図１６】
2004355825.tif 000018
【図１７】
2004355825.tif 000019
【図１８】
2004355825.tif 000020
【図１９】
2004355825.tif 000021
【図２０】
2004355825.tif 000022
【図２１】
2004355825.tif 000023
【図２２】
2004355825.tif 000024
【図２３】
2004355825.tif 000025
【図２４】
2004355825.tif 000026
【図２５】
2004355825.tif 000027
【図２６】
2004355825.tif 000028
【図２７】
2004355825.tif 000029
【図２８】
2004355825.tif 000030